(57)【要約】【課題】構成が簡易で、設置作業が容易であり、且つ、ハウジング部内部の温室度の調整が容易で且つ設置費用とそれに対する維持管理コストが安価である農産物・家畜類育成ハウスとそれに使用する産業用蓄熱保温性コンクリート基盤層部材を提供するものである。【解決手段】蓄熱コンクリート基板部１で構成た産業用蓄熱保温性コンクリート基盤層部材１００であって、その内部に複数本の直線状の中空管部２が、相互に平行に、且つ当該基盤層部材１００の表面及びその平面形状に於ける長手方向に沿って埋設せしめられており、当該複数本の中空管部２には、自己温度制御機能を有する長尺状発熱体部３が、挿入排出自在に配備されており、更に、当該基盤層部材１００の所望の端縁部４に於ける、当該基盤層部材１００の表面５に沿って、長尺状発熱体部３に所望の電力を供給する電力供給手段７とが設けられている産業用蓄熱保温性コンクリート基盤層部材１００を基底部に使用した農産物・家畜類育成ハウス２００。【選択図】図１
2019035256.tif 000002
【特許請求の範囲】
【請求項１】
所定の高さを有し、且つ所定の平面面積を以て構成された平板状立体形状を有する蓄熱コンクリート基板部で構成されている産業用蓄熱保温性コンクリート基盤層部材であって、当該産業用蓄熱保温性コンクリート基盤層部材は、その内部に複数本の熱伝導性の高い金属材料で構成された直線状の中空管部が、相互に平行に、且つ当該産業用蓄熱保温性コンクリート基盤層部材の表面と略平行で、然も当該産業用蓄熱保温性コンクリート基盤層部材の平面形状に於ける長手方向に沿って埋設せしめられており、一方、当該複数本の中空管部のそれぞれには、通電により発熱し、自己温度制御機能を有する長尺状発熱体部が、挿入排出自在に配備されており、更に、当該産業用蓄熱保温性コンクリート基盤層部材の所望の端縁部近傍に於ける、当該産業用蓄熱保温性コンクリート基盤層部材の表面若しくはその側壁面部に沿って、当該長尺状発熱体部のそれぞれに所望の電力を供給する為の電力供給手段とが設けられている事を特徴とする産業用蓄熱保温性コンクリート基盤層部材。
【請求項２】
当該個々の中空管部は、その一方の端部が、当該産業用蓄熱保温性コンクリート基盤層部材の一端縁部に於いて、当該産業用蓄熱保温性コンクリート基盤層部材の側壁面若しくはその上側表面から上方に向けて外部に突出せしめられている事を特徴とする請求項1に記載の産業用蓄熱保温性コンクリート基盤層部材。
【請求項３】
当該個々の中空管部は、当該産業用蓄熱保温性コンクリート基盤層部材の側壁面若しくはその上側表面から上方に向けて外部に突出せしめられている一方の端部若しくはその近傍部と当該産業用蓄熱保温性コンクリート基盤層部材の内部に於いて当該産業用蓄熱保温性コンクリート基盤層部材の表面と略平行配列されている中空管部との間には、当該両者管を連結する湾曲状若しくは多段屈折部を有する中空管部が配置されている事を特徴とする請求項１又は２に記載の産業用蓄熱保温性コンクリート基盤層部材。
【請求項４】
当該中空管部内には、熱伝導性の高い油性成分材料が充填されている事を特徴とする請求項１乃至３の何れかに記載の産業用蓄熱保温性コンクリート基盤層部材。
【請求項５】
当該中空管部内に配置されている当該長尺状発熱体部は、予め設定されている発熱特性値を下回る発熱特性値が検出された場合には、その時点で、個別に新規な当該長尺状発熱体部と差し替え出来るように構成されている事を特徴とする請求項１乃至４の何れかに記載の産業用蓄熱保温性コンクリート基盤層部材。
【請求項６】
当該産業用蓄熱保温性コンクリート基盤層部材に於ける当該電力供給手段には、それぞれの当該長尺状発熱体部の一端部が個別的に接続されており、所望の電力が当該長尺状発熱体部の一つに最初に供給された時点から所望の初期駆動時間の間に於いて、当該複数本の長尺状発熱体部のそれぞれを、所望の遅延時間を介して、順次に当該電力供給電源と接続させる様に機能する長尺状発熱体部逐次個別駆動制御手段が設けられている事を特徴とする請求項１乃至５の何れかに記載の産業用蓄熱保温性コンクリート基盤層部材。
【請求項７】
当該産業用蓄熱保温性コンクリート基盤層部材に於ける当該長尺状発熱体部は、深夜電力を利用して駆動されることを特徴とする請求項１乃至６の何れかに記載の産業用蓄熱保温性コンクリート基盤層部材。
【請求項８】
当該産業用蓄熱保温性コンクリート基盤層部材の上側表面上に、防水性を有するコンクリート層が更に設けられている事を特徴とする請求項１乃至７の何れかに記載の産業用蓄熱保温性コンクリート基盤層部材。
【請求項９】
当該産業用蓄熱保温性コンクリート基盤層部材は、戸建て住宅の基礎構成部の少なくとも一部、工場、倉庫、オフィス建物等の基礎構成部の少なくとも一部、高速道路、空港施設、公共施設等の基礎構成部の少なくとも一部、橋脚部の少なくとも一部、農産物・家畜類育成ハウス等の基礎構成部の少なくとも一部に使用されるものである事を特徴とする請求項１乃至８の何れかに記載の産業用蓄熱保温性コンクリート基盤層部材。
【請求項１０】
当該産業用蓄熱保温性コンクリート基盤層部材に於ける当該蓄熱コンクリート基板部の少なくとも一部には、所望の容量を持った貯水機能を有する受水槽部が形成されている事を特徴とする請求項１乃至９の何れかに記載の産業用蓄熱保温性コンクリート基盤層部材。
【請求項１１】
適宜の基礎層部の表面部の一部に、当該基礎層部の表面部から所定の深さを有し、且つ所定の平面面積を以て構成された平面形状部を有する凹陥部が形成されている基礎層部と、当該基礎層部の当該凹陥部内に、所望の断熱部材を介して密接嵌合せしめられた所定の高さを有し、且つ所定の平面面積を以て構成された平板状立体形状を有する請求項1乃至１０の何れかに規定された当該産業用蓄熱保温性コンクリート基盤層部材とで構成されている基底部と、当該基底部に於ける少なくとも当該産業用蓄熱保温性コンクリート基盤層部材の上側表空間層部を密閉状に閉鎖する、太陽光を透過させる機能を有する材料から構成されたハウジング部とから構成された農産物・家畜類育成ハウスであって、当該農産物・家畜類育成ハウスに於ける当該産業用蓄熱保温性コンクリート基盤層部材の少なくとも一部には、所望の容量を持った貯水機能を有する受水槽部が形成されており、当該受水槽部には、適宜の水循環手段と接続された排水手段と、当該ハウジング部の外壁部周縁部及び/又は内部空間領域内に存在する水を収集し、適宜のフィルター手段を介して当該受水槽部に帰還させる水供給手段（給水パイプ）を含む適宜の給水手段（水道手段を含む）とが設けられており、且つ、当該受水槽部内で生成された温水を、当該排水手段（排水パイプ）から当該水循環手段を介して、当該ハウジング部の外面頂点部近傍に設けられている放水手段部に接続されている通水管に通水して、所定の指示信号に応答して当該放水手段部から当該受水槽部内の当該温水を当該ハウジング部の屋根部外面に滴下させる様に構成された温水供給システムとが設けられている事を特徴とする農産物・家畜類育成ハウス。
【請求項１２】
当該産業用蓄熱保温性コンクリート基盤層部材の上側表面上若しくは当該産業用蓄熱保温性コンクリート基盤層部材の上側表面上に形成された当該防水性を有するコンクリート層の表面上に、所定の厚みを持った土砂層が設けられている事を特徴とする請求項１１に記載の農産物・家畜類育成ハウス。
【請求項１３】
当該産業用蓄熱保温性コンクリート基盤層部材の上側表面上及び/又は当該防水性を有するコンクリート層の上側表面上に、適宜の深さと適宜の断面形状を有する排水溝部が複数本、適宜の排水マス部を介して相互に接続される様に配置形成されており、且つ当該排水溝部の最終端部は、当該受水槽部に係合せしめられている事を特徴とする請求項１１又は１２に記載の農産物・家畜類育成ハウス。
【請求項１４】
当該農産物・家畜類育成ハウスの当該ハウジング部に於ける屋根部材の頂点部若しくはその近傍部に於ける少なくとも一部に、適宜の降雪センサー部が配置されており、当該降雪センサー部による、降雪状態を識別して発生される降雪検知情報に基づいて当該循環ポンプが作動され、当該農産物・家畜類育成ハウスの当該ハウジング部に於ける屋根部材の外部表面上に当該受水槽部の水を散布する様に構成されている放水手段部が設けられている事を特徴とする請求項１１乃至１３の何れかに記載の農産物・家畜類育成ハウス。
【請求項１５】
当該農産物・家畜類育成ハウスの当該ハウジング部に於ける屋根部材の外表面に散布された当該水は、当該ハウジング部に於ける下端部周縁部に形成された適宜の溝部からなる集水ビット機構を介して、且つ適宜のフィルター手段を介して、当該受水槽部内に還流せしめられるように構成されている事を特徴とする請求項１１乃至１４の何れかに記載の農産物・家畜類育成ハウス。
【請求項１６】
当該受水槽部には、当該循環ポンプ手段を含む適宜の排水手段及び適宜の給水手段に加えて、当該受水槽部内の貯水量の水面位置レベルを一定となる様に制御する水レベルセンサー手段が設けられている事を特徴とする請求項１１乃至１５の何れかに記載の農産物・家畜類育成ハウス。
【請求項１７】
当該中空管部の一方の閉鎖端部とは異なる他方の開放端部近傍には、当該中空管部内に貯留せしめられている当該熱伝導性の高い油性成分材料が示す、当該開放端部近傍の油面位置レベルを一定となる様に制御する油材レベルセンサー手段が設けられている事を特徴とする請求項１１乃至１６の何れかに記載の農産物・家畜類育成ハウス。
【請求項１８】
当該農産物・家畜類育成ハウスに於ける当該ハウジング部の側壁面部及び/又は屋根部の少なくとも一部に、所望の動力手段を介して、当該ハウジング部の内部空間と当該ハウジング部の外部空間とを連通させる為の所望の開放空間を創出出来る窓部材が設けられている事を特徴とする請求項１１乃至１７の何れかに記載の農産物・家畜類育成ハウス。
【請求項１９】
当該農産物・家畜類育成ハウスに於ける当該ハウジング部内には、適宜の部位に適宜個数の温度センサー及び/又は湿度センサーが配備されており、当該温度センサー及び/又は湿度センサーから得られる当該ハウジング部内の温度情報及び/又は湿度情報に基づいて、当該窓部材と係合する当該動力手段を駆動せしめる様に構成されている事を特徴とする請求項１１乃至１８の何れかに記載の農産物・家畜類育成ハウス。
【請求項２０】
当該農産物・家畜類育成ハウスの当該ハウジング部内には、適宜の部位に適宜個数のミスト発生手段（水噴霧装置）が設けられており、当該ミスト発生手段（水噴霧装置）は、適宜の通水管を介して、当該受水槽部内と当該排水手段（排水パイプ）を介して係合せしめられている当該水循環手段と接合されており、当該ミスト発生手段は、当該ハウジング部内に設けられている、当該適宜の温度センサー及び/又は湿度センサーから得られる当該ハウジング部内の温度情報及び/又は湿度情報に基づいて駆動せしめられる様に構成されている事を特徴とする請求項１９に記載の農産物・家畜類育成ハウス。
【請求項２１】
当該農産物・家畜類育成ハウスは、少なくとも温度センサー手段、湿度センサー手段、降雪センサー手段、時間センサー手段等から出力される所定の制御信号群の少なくとも何れか一つの制御信号に応答して、当該長尺状発熱体部逐次駆動制御手段を含む電力供給手段、当該水循環手段、当該窓部材、当該ミスト発生手段、放水手段部の少なくとも一部の手段を駆動制御する為の駆動演算制御手段が設けられている事を特徴とする請求項１１乃至２０の何れかに記載の農産物・家畜類育成ハウス。
【請求項２２】
当該駆動演算制御手段には、当該長尺状発熱体部逐次駆動制御手段を含む電力供給手段、当該水循環手段、当該窓部材、当該ミスト発生手段、放水手段部の少なくとも一部の手段を駆動制御する為の予め設計されている所望の制御プログラムを内蔵している記憶手段が設けられている事を特徴とする請求項２１に記載の農産物・家畜類育成ハウス。
【請求項２３】
当該農産物は、水耕栽培を含む、各種の栽培方式に基づく野菜、穀物、果物、樹木、花類等が含まれている事を特徴とする請求項１１乃至２２の何れかに記載の農産物・家畜類育成ハウス。
【請求項２４】
当該家畜類は、牛、馬、豚、羊、山羊、兎等の動物、鶏、鴨等の家禽類、観賞魚を含む各種魚類及び貝類等が含まれている事を特徴とする請求項１１乃至２２の何れかに記載の農産物・家畜類育成ハウス。
【請求項２５】
当該農産物・家畜類育成ハウスは、寒冷地で使用されることを特徴とする請求項１１乃至２４の何れかに記載の農産物・家畜類育成ハウス。
【請求項２６】
当該ハウジング部に於ける作業員の出入り口は、少なくとも二重の扉構造を有する事を特徴とする請求項１１乃至２５の何れかに記載の農産物・家畜類育成ハウス。
【発明の詳細な説明】
【技術分野】
【０００１】
本発明は、産業用蓄熱保温性コンクリート基盤層部材及び農産物・家畜類育成ハウスに関するものであり、更に詳しくは、簡易な構成でありながら、施工性が良く且つ、寒冷地においても冬季に安定した加熱・発熱或いは保温を行うことが出来、然も、安価で経済性にも優れた、屋外は元より屋内でも使用可能な、多種に亘る産業界で容易に使用し、効果的に活用する事が可能な産業用蓄熱保温性コンクリート基盤層部材及び農産物・家畜類育成ハウスに関するものである。
【背景技術】
【０００２】
従来より、地表面や屋内の床面を含む一般的基底面部を加熱保温したり蓄熱保温する技術に関しては多数の異なる技術が開発され、一般的に実用化されてきている。
例えば、屋内の特に戸建住宅やマンションの個室等における床面を加熱保温する技術としては、通称、床暖房技術として周知されている通り、板体、繊維層体、プラスチック層体或いは大理石等を含む石材層からなる表面層部の下面層部に、通電により発熱する電気式発熱シートを配置するか、適宜の支持体層の間に、適宜の中空管をジグザグ状に引き回し配管し、当該中空管内に温水或いは温風を流通させるか、或いは当該中空管の代わりに、通電により発熱する線状発熱体を同じ形状で引き回し配設したブロックパネル材を複数個隣接して配列する方法が知られており、又、工場や倉庫等の大型建屋内或いは屋外の適宜の地表面に於いても、当該地表面を必要に応じて加熱したり、保温しておく必要のある部位は多数存在しており、例えば、当該工場や倉庫の内部温度を一定の温度に維持したいとか、道路や橋梁の表面或いは公衆が集まる公共施設等の地表面に凍結状態が発生すると危険な為、当該凍結防止のためにその地表面を加熱保温したり、特定の動植物の育成に際して、地中や地表面更には雰囲気温度を所望の温度に制御したい様な場合が多く存在しており、その何れの場合でも、地表面である基底面を主にコンクリートで構成し当該コンクリート層を主体とする本体部の表面部やその内部に適宜の中空管を配設し、当該中空管内に温水や温泉水、或いは温風を流通させるか、或いは当該中空管の代わりに、通電により発熱する面状発熱体を配置するか、通電により発熱する線状発熱体をジグザグ状に引き回し配線する方法、更には、当該コンクリート層を主体とする本体部の表面部やその内部に赤外線或いは電磁波を受けて発熱する発熱部材を配置する技術等が知られている。
【０００３】
上記従来技術のそれぞれは、何れも個々の特徴を有しており、使用部位、使用目的、得られる作用効果等に於いて利点並びに欠点を有するものであるが、構造の簡易性、設置コスト、維持管理を含めたランニングコスト及び制御性等を勘案すると、例えば、特開２００１−００３３０７号公報（特許文献１）、特開２００１−２６２５０７号公報（特許文献２）、特開２００３−１１４２８３号公報（特許文献３）、特開２００５−３１５０６３号公報（特許文献４）或いは特開２０１４−２０２００１号公報（特許文献５）等に示される様な、通電により発熱する線状発熱体をコンクリート層内に配置した構造のものが、本発明に於ける産業用蓄熱保温性コンクリート基盤層部材の基本構成として望ましいものと考えられる。
【０００４】
然しながら、上記した各公知技術に於いては、何れも、一つの大きなコンクリートブロック内に、一本の線状発熱体を、低コストで且つ有効に活用する為に、ジグザグ状に多数箇所に於いて屈曲させた状態で配置するものである為、当該線状発熱体の平均有効活性寿命が５年程度である事を考慮すると、当該線状発熱体の特性値が数年で低下した場合には、当該線状発熱体のみを当該コンクリートブロックから引き抜いて、新しい当該線状発熱体と差し替えて使用する事は全く不可能であるので、当該コンクリートブロック毎、新しい発熱保温性コンクリートブロックに取り替える必要があり、経済的コストの負担はかなり厳しいものとなると言う欠点がある。
【０００５】
更に、当該従来の技術に於いては、当該コンクリートブロック内に配置される当該線状発熱体の表面が均一に当該コンクリート部の内面部と接触出来ない箇所が多発している事から、当該線状発熱から発生される熱エネルギーの全てが確実に当該コンクリートブロック内に伝達される補償はなく、その結果、当該線状発熱体から発生される熱エネルギーの一部が無駄となっていると言う欠点も存在していた。
更には、上記した従来例に於いては、一つの発熱性コンクリートブロックには、一定の長さの当該線状発熱体のみが配線固定されているので、当該発熱性コンクリートブロックは何れも同じ程度の発熱効果しか発揮できないので、単一の用途のみにしか使用できず、用途の汎用性が不足しており、多様性に欠けると言う欠点も有するものであった。
【先行技術文献】
【特許文献】
【０００６】
【特許文献１】特開２００１−００３３０７号公報
【特許文献２】特開２００１−２６２５０７号公報
【特許文献３】特開２００３−１１４２８３号公報
【特許文献４】特開２００５−３１５０６３号公報
【特許文献５】特開２０１４−２０２００１号公報
【発明の概要】
【発明が解決しようとする課題】
【０００７】
従って、本発明の目的は、上記した従来技術の問題点を改良し、構成が簡易で、設置作業が容易であり、且つ、設計や施工並びにそれらの保全や修理が容易かつ簡易であり、更に当該施工・維持管理に要する費用が安価であり更に、均一な発熱状態を顕出させると共に、効率的な熱エネルギーの利用から消費エネルギーに対するコストも低減化され、然も、発熱量或いは蓄熱量を自由に調整する事が可能であることから、使用用途を大幅に汎用化させる事が可能な産業用蓄熱保温性コンクリート基盤層部材を提供するものである。
更に、本発明の他の目的は、当該産業用蓄熱保温性コンクリート基盤層部材を使用した、従来にない新規構造の農産物・家畜類育成ハウスを提供するものである。
【課題を解決するための手段】
【０００８】
本発明は、上記した従来技術の問題点を解決し、上記した本発明の目的を達成する為に、基本的には、以下に示す様な技術構成を採用するものである。
即ち、本発明の第１の態様は、所定の高さを有し、且つ所定の平面面積を以て構成された平板状立体形状を有する蓄熱コンクリート基板部で構成されている産業用蓄熱保温性コンクリート基盤層部材であって、当該産業用蓄熱保温性コンクリート基盤層部材は、その内部に複数本の熱伝導性の高い金属材料で構成された中空管部が、相互に平行に、且つ当該産業用蓄熱保温性コンクリート基盤層部材の表面と略平行で、然も当該産業用蓄熱保温性コンクリート基盤層部材の平面形状に於ける長手方向に沿って埋設せしめられており、一方、当該複数本の中空管部のそれぞれには、通電により発熱し、自己温度制御機能を有する長尺状発熱体部が、挿入排出自在に配備されており、更に、当該産業用蓄熱保温性コンクリート基盤層部材の所望の端縁部近傍に於ける、当該産業用蓄熱保温性コンクリート基盤層部材の表面若しくはその側壁面部の一部には、当該長尺状発熱体部のそれぞれに所望の電力を供給する為の電力供給手段とが設けられている事を特徴とする産業用蓄熱保温性コンクリート基盤層部材であり、又、本発明に係る第２の態様は、適宜の基礎層部の表面部の一部に、当該基礎層部の表面部から所定の深さを有し、且つ所定の平面面積を以て構成された平面形状部を有する凹陥部が形成されている基礎層部と、当該基礎層部の当該凹陥部内に、所望の断熱部材を介して密接嵌合せしめられた所定の高さを有し、且つ所定の平面面積を以て構成された平板状立体形状を有する上記に記載の当該産業用蓄熱保温性コンクリート基盤層部材とで構成されている基底部と、当該基底部に於ける少なくとも当該産業用蓄熱保温性コンクリート基盤層部材の上側表空間層部を密閉状に閉鎖する、太陽光を透過させる機能を有する材料から構成されたハウジング部とから構成された農産物・家畜類育成ハウスであって、当該農産物・家畜類育成ハウスに於ける当該産業用蓄熱保温性コンクリート基盤層部材の少なくとも一部には、所望の容量を持った貯水機能を有する受水槽部が形成されており、当該受水槽部には、適宜の水循環手段と接続された排水手段と、当該ハウジング部の外壁部周縁部及び/又は内部空間領域内に存在する水を収集し、適宜のフィルター手段を介して当該受水槽部に帰還させる水供給手段を含む適宜の給水手段とが設けられており、且つ、当該受水槽部内で生成された温水を、当該排水手段から当該水循環手段を介して、当該ハウジング部の外面頂点部近傍に設けられている放水手段部に接続されている通水管に通水して、所定の指示信号に応答して当該放水手段部から当該受水槽部内の当該温水を当該ハウジング部の屋根部外面に滴下させる様に構成された温水供給システムとが設けられている事を特徴とする農産物・家畜類育成ハウスである。
【発明の効果】
【０００９】
本発明に係る当該産業用蓄熱保温性コンクリート基盤層部材及び当該農産物・家畜類育成ハウスはそれぞれが上記した様な、技術構成を採用している事から、従来技術の問題点を改良し、構成が簡易で、設置作業が容易であり、且つ、設計や施工並びにそれらの保全や修理が容易かつ簡易であり、更に当該施工・維持管理に要する費用が安価であり更に、均一な発熱状態を顕出させると共に、効率的な熱エネルギーの利用から消費エネルギーに対するコストも低減化され、然も、発熱量或いは蓄熱量を自由に調整する事が可能であることから、使用用途を大幅に汎用化させる事が可能な産業用蓄熱保温性コンクリート基盤層部材を提供するものである。
更に、本発明に於いては、当該産業用蓄熱保温性コンクリート基盤層部材を使用した、従来にない新規構造の農産物・家畜類育成ハウスを提供するものである。
更に、深夜電力を効率的に使用することにより、本発明に係る当該産業用蓄熱保温性コンクリート基盤層部材や当該農産物・家畜類育成ハウスのランニングコストを更に大幅に低減させる事も可能である。
【図面の簡単な説明】
【００１０】
【図１】図１は、本発明に係る産業用蓄熱保温性コンクリート基盤層部材に於ける一具体例の構成の一例を示す平面図である。
【図２】図２は、本発明に係る産業用蓄熱コンクリート基盤層部材に於ける一具体例の構成の一例を示す断面図である。
【図３】図３（Ａ）は、本発明に係る産業用蓄熱コンクリート基盤層部材の構成要部の拡大図であり、図３（Ｂ）及び（Ｃ）は本発明に係る産業用蓄熱コンクリート基盤層部材の中空管部に於ける一端部の構成の具体例を示す側面図である。
【図４】図４は、本発明に係る産業用蓄熱コンクリート基盤層部材１００の一具体例に於ける、長尺状発熱体部３の接続配線の構成の一例を示すブロックダイアグラムである。
【図５】図５は、本発明に係る産業用蓄熱コンクリート基盤層部材で使用される長尺状発熱体部３の構成の具体例を示す断面図である。
【図６】図６は、本発明に係る産業用蓄熱コンクリート基盤層部材に於いて使用される長尺状発熱体部の油材量を制御する制御システムの一構成例を示す断面図である。
【図７】図７は、本発明に係る産業用蓄熱コンクリート基盤層部材で使用される長尺状発熱体部３と電源部との接続方法の一例を示す断面図である。
【図８】図８は、本発明に係る産業用蓄熱コンクリート基盤層部材に於いて使用される水供給排出システムの一構成例を示す断面図である。
【図９】図９は、本発明に係る農産物・家畜類育成ハウスの一具体例の構成例を説明する図である。
【図１０】図１０は、本発明に係る農産物・家畜類育成ハウスの一具体例に於ける、水処理システムの構成例を説明する図である。
【図１１】図１１は、本発明に係る農産物・家畜類育成ハウスの一具体例に於ける、ハウス内温湿度調整制御システムの構成の一例を説明する図である。
【発明を実施するための形態】
【００１１】
以下に本発明に係る当該産業用蓄熱保温性コンクリート基盤層部材及び当該農産物・家畜類育成ハウスのそれぞれに付いて、個々の一具体例の構成例を、図面を参照しながら詳細に説明する。
【００１２】
先ず、本発明に係る第１の態様である当該産業用蓄熱保温性コンクリート基盤層部材１００の具体的な構成の例を説明する。
即ち、図１及び図２は、本発明に係る第１の態様である当該産業用蓄熱保温性コンクリート基盤層部材１００の一具体例の構成を示したものであって、図中、所定の高さＨを有し、且つ所定の平面面積を以て構成された平板状立体形状を有する蓄熱コンクリート基板部１で構成されている産業用蓄熱保温性コンクリート基盤層部材１００であって、当該産業用蓄熱保温性コンクリート基盤層部材１００は、その内部に複数本の熱伝導性の高い金属材料で構成された直線状の中空管部２が、相互に平行に、且つ当該産業用蓄熱保温性コンクリート基盤層部材１００の表面と略平行で、然も当該産業用蓄熱保温性コンクリート基盤層部材１００の平面形状に於ける長手方向に沿って埋設せしめられており、一方、当該複数本の中空管部２のそれぞれには、通電により発熱し、自己温度制御機能を有する長尺状発熱体部３が、挿入排出自在に配備されており、更に、当該産業用蓄熱保温性コンクリート基盤層部材１００の所望の端縁部４近傍に於ける、当該産業用蓄熱保温性コンクリート基盤層部材１００の表面５若しくはその側壁面部６に沿って、当該長尺状発熱体部３のそれぞれに所望の電力を供給する為の電力供給手段７とが設けられている事を特徴とする産業用蓄熱保温性コンクリート基盤層部材１００が示されている。
【００１３】
本発明に係る当該産業用蓄熱保温性コンクリート基盤層部材１００に於ける当該蓄熱コンクリート基板部１は、従来一般的に使用されているコンクリート材で主に構成されるものであり、特に防水性能の高いコンクリート材を使用する事が望ましく、場合によっては、当該コンクリート材の内部に、例えば、カーボン、セラミックス、トルマリン、火山岩、更には花崗岩等からなる放熱効果機能を有する粒状体或いは遠赤外線を放射する機能を有する粒状体等を含んでいる事も望ましい具体例である。
一方、本発明に係る当該産業用蓄熱保温性コンクリート基盤層部材１００に於ける当該蓄熱コンクリート基板部１は、その形状や寸法に関するスペックは特に限定されるものではなく、当該産業用蓄熱保温性コンクリート基盤層部材１００が使用される目的・用途や使用場所等に応じて適宜の形状の物を使用する事が可能であるが、一般的には、
その高さＨは１０ｃｍから５ｍ程度とする事が可能であり、又その平面形状は例えば、縦方向長さ及び横方向長さが５０ｃｍから６０ｍ程度とする事が可能である。
更により広い面積部位で本発明に係る当該産業用蓄熱保温性コンクリート基盤層部材１００を使用する場合には、上位した所定の大きさを有する当該産業用蓄熱保温性コンクリート基盤層部材１００のユニット体を、複数個用意して、それらを二次元的に隣接配置する事により、容易に対応することが可能である。
【００１４】
更に、本発明に係る当該蓄熱コンクリート基板部１の平面形状は、基本的には正四角形を含む矩形状である事が望ましい具体例ではあるが、三角形を含む多角形形状や菱形形状で有っても良く、場合によっては円形形状や楕円形形状を有するものであっても良い。
又、本発明に於ける当該産業用蓄熱保温性コンクリート基盤層部材１００が特に広大な面積を有する場所で使用される場合には、当該個々の蓄熱コンクリート基板部１を複数個予め用意しておき、それらを、二次元的に隣接配置して使用する事も可能である事は言うまでも無い。
【００１５】
一方、本発明に於いて使用される当該蓄熱コンクリート基板部１は、その内部に、図３に例示される様に、鉄材或いはステンレス等の金属材料からなる適宜の太さを有する鉄筋８で構成された３次元立体型格子状構造を持つ補強層部９が設けられている事が望ましい具体例である。
即ち、図３に示されている様に、当該蓄熱コンクリート基板部１の平面若しくは裏面と平行な方向に、複数本の横鉄筋部１０が所定の間隔で配置されていると同時に複数本の縦鉄筋部１１が所定の間隔で配置されて、所定のメッシュ構造面を少なくとも１段、場合によっては複数段、上下方向に配置形成すると共に、当該メッシュ構造面と垂直方向に交叉する複数本の所定の間隔で配置されている垂直鉄筋部１２が直立方向に立設配置される事により、３次元立体構成型の補強層部９が形成される。
【００１６】
当該補強層部９に於ける各鉄筋部１０、１１，１２の相互の接触部では、適宜の金属製線条体１３を使用して、強固に緊縛固定しておくことが望ましい具体例である。
尚、当該各鉄筋部の使用本数や当該メッシュ構造面の段数は、特に限定されるものではなく、本発明に係る当該産業用蓄熱保温性コンクリート基盤層部材１００の使用目的や用途に応じて適宜決定する事が可能である。
尚、本発明に於いて使用される当該各鉄筋部１０、１１，１２は、強度が高く、かつ熱伝導性及び又は放熱性の高い金属材料から構成されている事が望ましい。
【００１７】
次に、本発明に係る当該産業用蓄熱保温性コンクリート基盤層部材１００に於いては、図１乃至図３に示されている通り、当該蓄熱コンクリート基板部１の内部に、複数本の熱伝導性の高い金属材料で構成された中空管部２が、相互に平行に、且つ当該産業用蓄熱保温性コンクリート基盤層部材１００の表面と略平行で、然も当該産業用蓄熱保温性コンクリート基盤層部材１００の平面形状に於ける長手方向に沿って埋設せしめられている事が望ましい具体例である。
即ち、本発明に於いて使用される当該中空管部２は、熱伝導性の高い金属材料、例えば、銅或いはガルバニック金属材料等で構成された中空状の筒状体で構成されており、その内径は、特に限定されるものではないが、例えば、１０ｍｍ乃至５０ｍｍ程度が望ましく、又、その長尺方向の長さも特定されるものではなく、使用用途に応じた当該蓄熱コンクリート基板部１の長手方向長さに応じて適宜決定する事が可能である。
一方、当該中空管部２は、基本的には、直線状に形成されるものであり、且つその一方の端部２２は、めくら状に閉鎖されており、その他方の端部２３は、開放状態に形成されている事が望ましい。
【００１８】
又、当該中空管部２の当該閉鎖状端部２２を含むその本体部２１は、図２及び図３に示す様に、当該蓄熱コンクリート基板部１のコンクリート材料層内に埋設状態で、且つ当該産業用蓄熱保温性コンクリート基盤層部材１００の表面と略平行で、然も当該産業用蓄熱保温性コンクリート基盤層部材１００の平面形状に於ける長手方向に沿って埋設せしめられているものであり、より好ましくは、当該複数個の各中空管部２はそれぞれが、適宜の係合固定手段、例えば、適宜の金属製線条体１３を介して、当該補強層部９を構成する少なくとも１種の鉄筋部１０乃至１２の何れかに接合固定されている事が望ましい具体例である。
【００１９】
一方、当該中空管部２における当該開放端部２３を含む端部及びその近傍部は、図３（Ｂ）或いは図３（Ｃ）に示されている様に、適宜の湾曲２４或いは、それぞれが９０度以上の鈍角に形成された屈曲部２４’が多段に形成されている屈曲、屈折形状を呈する様に構成され、それによって、当該中空管部２における当該開放端部２３が、当該産業用蓄熱保温性コンクリート基盤層部材１００に於ける当該蓄熱コンクリート基板部１の所望の端縁部４近傍に於ける、当該蓄熱コンクリート基板部１の表面５若しくはその側壁面部６の一部から外方に向けて上方に或いは斜め側方に突出形成される様に構成されている事が好ましい具体例である。
本発明に係る当該蓄熱コンクリート基板部１を形成する方法としては、特に限定されるものではないが、例えば、適宜の大型の型枠の内部空間に図３に示されている様な複数種の鉄筋により３次元立体的構造に形成された格子状の当該補強層部９を配置すると同時に、複数本の当該中空管部２を相互に並列に且つ当該蓄熱コンクリート基板部１の表面部とも平行に配置し、そのそれぞれを適宜の係合手段１３を介して、当該補強層部９の鉄筋部の一部に接合固定させた後、当該型枠内に適宜のコンクリート材料を注入して凝固処理する事により製造する事が可能である。
【００２０】
又、本発明に於ける当該中空管部２に形成される湾曲或いは屈曲、屈折形状２４は、その屈折状態或いは湾曲形状は特に特定されるものではないが、後述する様に、当該長尺状発熱体部３が当該蓄熱コンクリート基板部１が形成された後にでも、当該中空管部２の当該開放端部２３から、当該長尺状発熱体部３ｂを当該中空管部２の内部に自在に挿入出来たり、抜き出し出来る様に形成されている事が望ましい。
次に、本発明における当該蓄熱コンクリート基板部１に於いては、当該複数本の中空管部２のそれぞれに、通電により発熱し、自己温度制御機能を有する長尺状発熱体部３が、挿入排出自在となる様に配備されている事が望ましい具体例である。
処で、本発明に於いて使用される当該長尺状発熱体部３はその構成は特に限定されるものではないが、例えば、図５に示す様に、一対の電極５１，５２の間に、炭素粒子と適宜の合成樹脂接着粒子とが混合された発熱層５３を配置して、それを適宜の絶縁性合成樹脂材料層５４で被覆した構造を有し、当該電極５１，５２を所定の電源に接続させて通電すると、当該発熱層５３が発熱するという構成の発熱体３を使用する事が望ましい。
【００２１】
上記した発熱体３は、当該合成樹脂粒子が温度によってその体積が変化する様に設計されている場合には、当該発熱層５３に対する通電量が変化するので、所謂、自己温度制御機能を有する線状若しくは帯状の長尺状発熱体部３（ＰＴＣ発熱線）として知られており、係る構成の長尺状発熱体部３を使用する事が望ましい。
然も、上記した通り、本発明に於ける当該長尺状発熱体部３は、特に、線状或いは帯状の長尺状発熱体を使用する事が必要であり、その形状も円形断面を有する線状体構造のものであっても良く或いは、扁平状の断面を有する帯状の発熱体で有っても良い。
更に、本発明に於いて使用される当該長尺状発熱体部３は、従来の電気エネルギーを使用した線条発熱体、例えば、ニクロム線等を使用する場合に比べて、発熱温度調整のために、サーモスタット手段等の余計な制御回路部品を使用する必要がないので、コストの低減の構造の簡素化が実現される。
【００２２】
然も、本発明に於いて当該蓄熱コンクリート基板部１に於いて使用される当該線状或いは帯状の長尺状発熱体３は、低温下でも十分に発熱し、しかも発熱体が自己温度制御性があるため、サミスターなどの温度制御装置が要らないと言う特徴を有している。
一方、本発明に於いては、当該長尺状発熱体部３は、少なくとも前記した当該中空管部２よりもその長さが長く設定されている必要があり、それによって、当該長尺状発熱体部３を当該中空管部２内に挿入配置した場合に、その一方の端部の一部が当該中空管部２の開放端部２３から外方に突出して配置されるので、当該長尺状発熱体部３の端部を後述する適宜の電源手段７と電気的に接合する際に便利となる。
【００２３】
本発明に於いては、当該中空管部２を直線状の中空管構造となし、これに当該長尺状発熱体部３を挿入・引き抜き自在の構成としたことにより、当該長尺状発熱体部３の寿命が５年前後である事を考慮すると、使用中の当該長尺状発熱体部３の少なくとも一本でも、その発熱特性が劣化した場合には、当該発熱特性が劣化した当該長尺状発熱体部３のみを当該中空管部２から抜き出して取り外し、その代わりに、新規の当該長尺状発熱体部３を空となった当該中空管部２内に簡単に挿入する事が出来るので、本発明に係る蓄熱コンクリート基板部１全体を廃棄して新しい当該蓄熱コンクリート基板部１とそっくり取り換えると言う無駄でコストの掛る維持管理方法を採用しなくても済むと言う大きなコストメリットが得られる事になる。
【００２４】
従来の技術に於いては、基本的に、当該蓄熱コンクリート基板部内部に当該長尺状発熱体部３を、コストの低減と発熱効果を出来るだけ高く維持する目的で、ジグザグ状に幾重にも折り曲げて挿入しているため、当該長尺状発熱体部３のみを当該コンクリート基板部から自在に取り外す事が不可能であり、従って、使用中の複数本の当該長尺状発熱体部３の内、一本でも発熱効果が劣化した場合には、当該蓄熱コンクリート基板部自体をそっくりそのまま新品の蓄熱コンクリート基板部自体と交換しなければならないので、修繕費を含むランニングコストは大幅に増大していたのに対し、本発明では、係る問題点を極めて容易な構成により、効率的に然も安価に補修修理が出来ると言う著しい作用効果を達成出来るのである。
尚、本発明に於いては、当該長尺状発熱体部３の発熱特性値を適宜の時間間隔で測定し、当該長尺状発熱体部３の取り換え時期を早期に発見して、故障が顕出される前に、早めに補修修理を行う事が望ましい。
【００２５】
本発明に於いては、その為に、適宜の部位、好ましくは、当該長尺状発熱体部３と電源手段７との接続部位に於いて、当該長尺状発熱体部３に流れる電流或いは電圧若しくは当該長尺状発熱体部３の抵抗値等を適宜の間隔で測定し、所定の基準値と比較して、当該長尺状発熱体部３の所望の特性値の低下状況を検査する事が望ましい。
本発明に於いては、当該中空管部２の使用本数は特に限定されるものではなく、又当該中空管部２相互間の配列間隔も特に限定されるものではなく使用目的や使用場所、蓄熱保温条件等を勘案して適宜に決定する事が出来る。
【００２６】
一方、本発明に於ける当該中空管部２の当該蓄熱コンクリート基板部１の平面に平行な面に対する上下の配置・配列関係は、必ずしも同一の水平面上に配置される必要はなく、上下方向に適宜変位させてジグザグ状に配置するものであってよい。
更に、本発明に於いては、当該蓄熱コンクリート基板部１内に配置された当該中空管部２の全てに、当該長尺状発熱体部３を挿入しなくとも良く、例えば、当並列状に配置された複数本の当該中空管部２の内、一本おきに当該中空管部２を挿入し、その間の当該中空管部２には、当該長尺状発熱体部３を挿入しない様に構成する事も可能であり、当該方法は、本発明の使用目的や使用場所、蓄熱保温条件等を勘案して適宜に決定する事が出来る。
【００２７】
又、本発明に於いては、当該一本の中空管部２に一本の当該長尺状発熱体部３を挿入する事を基本とするものであるが、場合によっては、当該一本の中空管部２に２本或いはそれ以上の複数本の当該長尺状発熱体部３を挿入する事も可能である。
本発明に於いては、当該中空管部２は、適宜の剛性と適宜の柔軟性を有しているので、当該中空管部２の開放端部２３から当該長尺状発熱体部３を容易に且つ迅速に効率良く手動で挿入したり抜き取ったりする事が可能であるので、現場に於いて特定の機器類を別途使用しなくとも、作業員が手作業にて、簡単且つ短時間で、当該長尺状発熱体部３の当該中空管部２への挿入或いは抜き取り操作が実行出来るので、然も、当該産業用蓄熱保温性コンクリート基盤層部材１００そのものは、破壊や取り替えることなく、そのまま使用する事が可能であるので、施工コストを含めて維持管理に関するコストの大幅な低減が可能となる。
【００２８】
更に、従来技術に於いては、当該長尺状発熱体部３そのものを直接コンクリート等の基盤材に挿入していたので、当該長尺状発熱体３の外形はかなり小さいので、コンクリートとの接触面積が小さく且つ両者の接触部分が不均整である為、当該長尺状発熱体部３から当該コンクリートへの熱の伝達が小さく且つ不十分であったので、当該長尺状発熱体部３からの発熱が当該コンクリートへ伝搬される熱交換率が極めて低いという問題が存在していたのに対し、本発明に於いては、当該長尺状発熱体部３を内蔵する当該中空管部２を使用するので、当該中空管部２の外形が従来のものよりもかなり大きくなり、又当該中空管部２と当該コンクリート部との接触面積が増大し且つ当該両者の接触も均一化されているので、当該中空管部２の当該コンクリート部への熱伝達は増大し、熱交換が効率的に実行され、熱エネルギーの有効利用に大いに貢献出来る事になる。
【００２９】
即ち、本発明に於ける当該産業用蓄熱保温性コンクリート基盤層部材１００に於いては、当該個々の中空管部２は、その主体部２１は直線状に形成され、その一方の端部２３が、当該産業用蓄熱保温性コンクリート基盤層部材１００の一端縁部４に於いて、当該産業用蓄熱保温性コンクリート基盤層部材１００の側壁面６若しくはその上側表面５から外方上方に向けて外部に突出せしめられている構造を有するものである事が望ましい具体例の一つであり、又、当該個々の中空管部２は、当該産業用蓄熱保温性コンクリート基盤層部材１００の側壁面６若しくはその上側表面５から上方に向けて外部に突出せしめられている一方の端部２３若しくはその近傍部と当該産業用蓄熱保温性コンクリート基盤層部材１００の内部に於いて当該産業用蓄熱保温性コンクリート基盤層部材１００の表面５と略平行配列されている直線状の中空管部２の本体部２１との間には、当該両者管を連結する湾曲状若しくは多段屈折部２４，２４’を有する中空管部が配置されている事も好ましい具体例である。
【００３０】
更に、本発明に於いては、  当該中空管部２内に配置されている当該長尺状発熱体部３は、予め設定されている発熱特性値を下回る発熱特性値が検出された場合には、その時点で、個別に新規な当該長尺状発熱体部３と差し替え出来るように構成されている事も望ましい具体例である。
次に、本発明に於ける別の態様としては、当該中空管部２内には、当該長尺状発熱体部３に加えて、熱伝導性の高い油性成分材料３０が充填されている事が、更に望ましい具体例の一つである。
【００３１】
本発明に於いて、当該中空管部２内部に当該長尺状発熱体部３を挿入して当該コンクリート材の発熱、蓄熱に寄与させようとするものであるが、当該長尺状発熱体部３と当該中空管部２の内壁面との間には、かなりの空間部が存在している為、当該長尺状発熱体部３から発生される熱エネルギーが途中の空気層により、遮蔽され十分な熱エネルギーが当該中空管部２に伝達されない為、その熱エネルギーの損失は相当大きなものとならざるを得ない。
本発明者は、係る問題点の改善を鋭意検討した結果、図６に示す様に、当該中空管部２内部に適宜の熱伝導性の高い油性成分材料３０を注入することにより、当該長尺状発熱体部３で発生した熱エネルギーが直接当該油性成分材料３０により略完全に当該中空管部２に伝達されるので、当該コンクリート材が受領する熱エネルギー量は、格段に大きくなるので、当該長尺状発熱体部３の発熱エネルギーの有効利用が達成出来る事になる。
【００３２】
一方、本発明に於いて、当該長尺状発熱体部３内部に当該油性成分材料３０を注入し、それを常時一定量に維持する事が必要となるので、当該中空管部２の開放端部２３の近傍には、適宜の当該油材表面レベル検知手段３１と、当該表面レベル検知手段３１の検出信号に応答して駆動する当該油材３０を適宜の油材タンク３２から当該中空管部２の内部に供給する為の油材供給手段３３と当該中空管部２の内部から当該油材３０を当該油材タンク３２へ排出する油材排出手段３４とが設けられている事が望ましい具体例の一つである。
本発明に於ける当該産業用蓄熱保温性コンクリート基盤層部材１００の施工方法としては、特に限定されるものではないが、例えば、上記した複数個の当該中空管部２を所望の本数、所望の間隔で図１乃至図３に例示する方法でコンクリート材内に配置形成した蓄熱コンクリート基板部１を所定の工場内で製造し、これを所定の個数、施工現場に搬送し、所望の部位に所望の設計に沿って、配置固定した後、当該それぞれの蓄熱コンクリート基板部１の個々の当該中空管部２内部に所望の当該長尺状発熱体部３を手動によって作業員により挿入し、その後、当該蓄熱コンクリート基板部１の個々の当該中空管部２内部に挿入された当該個々の長尺状発熱体部３の端部に配置されているそれぞれの電極５１，５２を、作業員の手作業によって、当該産業用蓄熱保温性コンクリート基盤層部材１００の表面或いはその近傍に設けられた電源手段７と接続する操作を行ってその施工を完了させるものである。
【００３３】
本発明に係る当該電源手段７は、当該蓄熱コンクリート基板部１の適宜の端縁部の近傍で、当該蓄熱コンクリート基板部１の側壁面６或いはその表面部５の一部に直接接合して配置形成されているものであっても良く、或いは、当該側壁面６或いはその表面部５と非接触の形で配置形成されていても良い。
本発明に於ける当該電源手段７の構成としては、例えば、図４に示す様に、適宜の外部電源と接続された直流電源部７１と、当該直流電源部７１から延展された正電極線部７２と負電極線部７３と、当該各電極線部から当該複数の長尺状発熱体部３に於ける個々の電極線５１と５２とに電力を供給する分岐部を含む複数個のスイッチング部７７と、当該スイッチング部７７に接続されている、当該正電極線部７２と負電極線部７３とを当該電極線５１と５２とを個々に接続する為の着脱自在に接続可能に構成された適宜のコネクター部７８と、当該個々のスイッチング部７７のＯＮ／ＯＦＦ動作を個別に制御する為に、当該個々のスイッチング部７７ト個別的に接続されている制御回路部７４と、当該制御回路部７４に接続されているタイマー手段７５並びに当該制御回路部７４の動作を制御する制御プログラムが内蔵されている記憶手段７６とから構成されている事が望ましい具体例である。
【００３４】
本発明に於ける当該電源手段７の配置例としては、図７に示す様に、隣接して配置される複数個の当該産業用蓄熱保温性コンクリート基盤層部材１００の側面４に適宜の凹陥部４０を形成し、当該凹陥部４０の空間領域内に、当該中空管部２の開放端部２３を突出させると同時に、係る空間領域内に当該電源手段７を配置し、当該コネクター手段７８に個々の当該長尺状発熱体部３に於ける電極線５１と５２を手作業で接続させる様に構成する事も望ましい具体例である。
処で、本発明に於いて使用される当該長尺状発熱体部３は、当初、電力が供給された段階では、一時的に大量の電力を消費する特性があり、以後通常の発熱動作を実行している間は、一定の安定した少量の消費電力を使用する特性を有している。
その為、本発明に於ける様に、通電開始時に複数個の当該長尺状発熱体部１２に同時に通電を開始すると、複数個の当該長尺状発熱体部１２がその瞬間、それぞれが大量の電力を消費するので、そこで大きな電圧降下が発生し、電力の供給が不安定となり、当該システムの動作が正常に機能しない事態や照明のちらつきや暗度化が発生する危険が存在する。
【００３５】
その為、本発明者は、鋭意検討した結果、本発明に係る当該産業用蓄熱保温性コンクリート基盤層部材１００をその稼働停止状態から次の稼働状態に移動させる際に、当該蓄熱コンクリート基板部１内に配置されている全ての当該中空管部２内に挿入されている全ての当該長尺状発熱体部３に同時に所定の電圧を印加するのではなく、先ず第１番目の（その配置されている部位は無関係に順次一つづく選択する事が望ましい。）当該中空管部２内に挿入されている第１の該長尺状発熱体部３のみに所定の電圧を印加した後、当該長尺状発熱体部３の消費電力が顕著に高騰する時期を経過した後で、当該長尺状発熱体部３の消費電力が略安定した状態に到達する間、第２の当該長尺状発熱体部３を含む他の全ての当該長尺状発熱体部３に対する電力供給は遮断状態に維持しておき、当該第１の長尺状発熱体部３の消費電力が略安定した状態に到達した後に、当該第１の長尺状発熱体部３に対する電力の供給は維持したまま、第３以降の全ての当該長尺状発熱体部３に対する電力供給は遮断状態に維持した状態で、当該第２の長尺状発熱体部３に対して、所定の電力供給を開始し、その後、当該第２の長尺状発熱体部３に於ける当該消費電力が略安定した状態に到達した後、当該第１と第２の長尺状発熱体部３に対する電力の供給は維持したまま、当該第４以降の全ての当該長尺状発熱体部３に対する電力供給は遮断状態に維持しておき、当該第３の長尺状発熱体部３に対して、所定の電力供給を開始する様にし、以下同様の操作を繰り返して、逐次、使用されている全ての当該長尺状発熱体部３を所定の遅延時間間隔で、順次電圧供給を開始する様に制御する逐次通電方式を採用する事が望ましい具体例である事が判明した。
【００３６】
本発明に於ける当該個々の長尺状発熱体部３に対して、所定の遅延時間間隔で、順次電圧供給を開始する様に制御する逐次通電方式は、例えば、図４に示す当該制御回路部７４に於いて、当該長尺状発熱体部３に通電を開始する時刻を当該タイマー手段７５からの時刻情報から検出して判断し、それと同時に、当該記憶手段７６に内蔵されている制御プログラムの中から、所望の遅延時間により、当該スイッチング部７７を逐次起動される様に構成されている特定の制御プログラムを選択し、当該選択されたプログラムを使用して、当該第１番目から第ｎ番目迄の当該個々のスイッチング部７７を、当該選択された所定の遅延時間間隔で、順にＯＮ状態に切り替えてゆくことで実行されることになる。
【００３７】
本発明に於いては、最初に当該長尺状発熱体部３の一つに電力が供給された時点から当該制御回路部７４によって、当該所望の遅延時間を介して、順次他の当該長尺状発熱体部３に通電を開始して行き、最後の当該長尺状発熱体部３に通電が開始されて当該最後の遅延時間が経過した時点迄の時間間隔を電力供給初期駆動時間と称している。
即ち、本発明に於ける他の具体例としては、当該産業用蓄熱保温性コンクリート基盤層部材１００に於ける当該電力供給手段７には、それぞれの当該長尺状発熱体部３の一端部５１，５２が個別的に接続されており、所望の電力が当該長尺状発熱体部３の一つに最初に供給された時点から所望の初期駆動時間の間に於いて、当該複数本の長尺状発熱体部３のそれぞれを、所望の遅延時間を介して、順次に当該電力供給電源７２，７３と接続させる様に機能する長尺状発熱体部逐次個別駆動制御手段７４が設けられている事が望ましい具体例である。
【００３８】
上記した通り、本発明に係る当該コンクリート基盤層部材１００は、簡易な構成で、施工費用も安価であり、維持管理に要するコストも低額に抑える事が可能であるばかりでなく、当該長尺状発熱体部３の電気エネルギーの基づいて発熱される熱エネルギーを効率的に当該コンクリート部材層内に蓄積する事が可能であり、然も、一旦当該コンクリート部材層内に蓄積された熱エネルギーは、長時間に亘って、徐々に放熱される事から、経済的な保温部材として産業上広く各分野で使用されるものである。
【００３９】
例えば、本発明に係る当該産業用蓄熱保温性コンクリート基盤層部材１００は、戸建て住宅の基礎構成部の少なくとも一部、工場、倉庫、オフィス建物等の基礎構成部の少なくとも一部、高速道路、空港施設、公共施設等の基礎構成部の少なくとも一部、橋脚部の少なくとも一部、農産物・家畜類育成ハウス等の基礎構成部の少なくとも一部に効果的且つ有効的に使用されるものである。
特に、本発明に係る当該産業用蓄熱保温性コンクリート基盤層部材１００に於ける当該長尺状発熱体部３は、電気料金が割安である深夜電力を利用して駆動させることにより、熱エネルギーコストは更に大幅に低減化が図れる事になる。
【００４０】
本発明に於ける当該産業用蓄熱保温性コンクリート基盤層部材１００の上側表面は、そのまま直接所定も目的の基材表面として使用する事は当然のことであるが、場合によっては、されに当該上側表面上に、防水性を有するコンクリート層８０が更に設けられている事も好ましい具体例である。
本発明に於いて使用される当該防水性を有するコンクリート層８０を構成するコンクリート材料としては、例えば、防水セメントとして一般的に市販されている製品を使用することが可能である。
更には、本発明に於ける当該産業用蓄熱保温性コンクリート基盤層部材１００の上側表面上に、適宜の厚みを有する土、砂利等の土層８１を設ける事も好ましい具体例の一つである。
【００４１】
更に、本発明に於いては、当該産業用蓄熱保温性コンクリート基盤層部材１００に於ける当該蓄熱コンクリート基板部１の少なくとも一部には、所望の容量を持った貯水機能を有する受水槽部８３が形成されている事もコンクリート層内に蓄熱された熱エネルギーを更に有効利用する為に、当該コンクリート層内に受水槽部８３を設け、当該受水槽部８３に貯留されている水を主体とする液体を当該蓄熱エネルギーにより適度の温度を持った温水として、当該温水を必要とする部位に、適宜供給出来る様にしたものである。
例えば、図８に示す様に、当該蓄熱コンクリート基板部１のコンクリート層内の少なくとも一部に、適宜の内部容積を持った受水槽部８３を設けるものであり、当該受水槽部８３の深さや平面形状は特に限定されるものではなく、又、当該受水槽部８３の上面は、閉鎖密閉されているものである。
【００４２】
又、当該受水槽部８３の平面的な配置位置は、当該蓄熱コンクリート基板部１に複数本配置されている当該長尺状発熱体部３の配置位置とは異なる部位に設定されることが望ましい。
更に、当該受水槽部８３には、適宜の水供給源、例えば水道栓８８等から、所望のバルブ手段を含んだ適宜の給水管を介して水道水を含む適宜の水等の液体８４が供給される様になっており、一方、当該受水槽部８３からは、適宜の排水手段８６を含む適宜の排水管８５が設けられており、当該排水管８５を介して、当該水を含む液体を、当該受水槽部８３から外部、例えば、当該温水を必要とする部位に供給する様に構成されている。
【００４３】
更に、本発明に於ける当該受水槽部８３には、当該蓄熱コンクリート基板部１に溜まった雨水や所望の作業等により使用され排水される水等の液体８４を適宜の集水手段８９で集め、適宜のフィルター手段９０を介して当該受水槽部８３に注入する様に構成されている事も望ましい具体例である。
その為の一具体例としては、図１に示す様に、当該蓄熱コンクリート基板部１の表面部５若しくは当該蓄熱コンクリート基板部１の表面部５に積層配置された防水性の高いコンクリート層８０の表面に適宜の深さを有する水の排水通路を構成する溝部９１を適宜本数、相互に並行に且つその一部は相互に直交する様に配置形成し、且つ当該溝部９１の交差点部には、適宜の大きさを持つ桝部９２を間挿し、当該最後の溝部９１端部を当該受水槽部８３に接続する様に構成されているものである。
又、本発明に於いては、当該受水槽部８３内に貯留されている水の水位を検知する水レベル検知手段８７が設けられており、当該水レベル検知手段８７による水レベル信号に応答して、当該バルブ手段が操作され、当該受水槽部８３内に貯留されている水の水位レベルを一定の範囲内に維持する様に構成されている事が望ましい。
【００４４】
次に、本発明に於ける第２の態様である農産物・家畜類育成ハウス２００の具体例についてその構成例を詳細に説明する。
即ち、本発明に係る当該農産物・家畜類育成ハウス２００は、地面に相当する適宜の基礎層部２０１の表面部２０２の一部に、上記した本発明に於ける第１の態様である当該産業用蓄熱コンクリート基盤層部材１００をそのまま使用し、当該産業用蓄熱コンクリート基盤層部材１００の上部空間領域を適宜の遮蔽材で囲繞被覆し、当該内部の空間領域内の内気と外部の外気との交流を一切遮断した構造を持つ農産物・家畜類育成ハウス２００である。
【００４５】
此処で、本発明に於ける当該第２の態様である農産物・家畜類育成ハウス２００の具体的な技術構成の例を説明するならば、図９に示す様に、適宜の基礎層部２０１の表面部２０２の少なくとも一部に、当該基礎層部２０１の表面部２０２から所定の深さＨ１を有し、且つ所定の平面面積Ｓ１を以て構成された平面形状部を有する凹陥部２０３が形成されている当該基礎層部２０１と、当該基礎層部２０１の当該凹陥部２０３内に、所望の断熱部材２０４を介して密接嵌合せしめられた所定の高さＨを有し、且つ所定の平面面積Ｓを以て構成された平板状立体形状を有する，上記で当該本発明に係る当該第１の態様として上記で規定された当該産業用蓄熱コンクリート基盤層部材１００とで構成されている基底部２０５と、当該基底部２０５に於ける少なくとも当該産業用蓄熱コンクリート基盤層部材１００の上側表面上の空間層部２０６を密閉状態に閉鎖する、太陽光を透過させる機能を有する材料から構成されたハウジング部２０７とから構成された農産物・家畜類育成ハウス２００であって、当該農産物・家畜類育成ハウス２００に於ける当該産業用蓄熱コンクリート基盤層部材１００の少なくとも一部には、所望の容量を持った貯水機能を有する受水槽部８３が形成されており、当該受水槽部８３には、適宜の水循環手段８６と接続された排水手段８５と、当該ハウジング部２０７の外壁部周縁部及び/又は内部空間領域内に存在する水を収集し、適宜のフィルター手段９０を介して当該受水槽部８３に帰還させる水供給手段（給水パイプ）を含む適宜の給水手段（水道手段を含む）２０９とが設けられており、且つ、当該受水槽部８３内で生成された温水を、当該排水手段８５（排水パイプ）から当該水循環手段８６を介して、当該ハウジング部２０７の外面頂点部近傍２１０に設けられている、例えば、ドレンチャー管等で構成される放水手段部２１１に接続されている通水管２１２に通水して、所定の指示信号に応答して当該放水手段部２１１から当該受水槽部８３内の当該温水を当該ハウジング部２０７の屋根部外面２１３に滴下させる様に構成された温水供給システム２１４とが設けられている事を特徴とする農産物・家畜類育成ハウス２００である。
【００４６】
本発明に係る当該農産物・家畜類育成ハウス２００に於いて使用される当該屋根部外面の形状や、傾斜角度等は、特に限定されるものではなく、その地域に於ける、冬季の気象条件を勘案して、決定する事が望ましく、山形形式或いは片流れ形式、又は鋸形式等、適宜採用する事が可能である。
本発明に係る当該農産物・家畜類育成ハウス２００は、当該基底部２０５の平面形状や平面面積は特に限定されるものではなく、その使用目的に応じて適宜に、任意の形状や任意の平面面積を採用する事が可能である。
場合によっては、所定の形状や所定の面積を有する様に構成された当該産業用蓄熱コンクリート基盤層部材１００を複数個容易して、それ等を二次元的に相互に隣接接合配列することにより、例えば、縦横の長さが数１００ｍとなる様な構造のものでも容易に形成する事が可能である。
尚、当該適宜の基礎層部２０１の表面部２０２に形成される当該凹陥部２０３の深さあＨ１とその平面状面積Ｓ１と、当該蓄熱コンクリート基板部１の厚みＨ及びその平面状面積Ｓは、それぞれ略同一の寸法に構成される事が望ましい具体例である。
【００４７】
一方、当該基底部２０５の厚み方向の長さ、つまり厚みＨ１も特に限定されるものではないが、例えば、その使用目的に応じて、必要とされる発熱量や放熱時間等を勘案して、当該長尺状発熱体部３の使用本数や配列密度も併せて勘案しながら決定することが可能であり、具体的には、例えば１０ｃｍ乃至５ｍ程度の範囲で設定する事が望ましい。
一方、本発明に係る当該農産物・家畜類育成ハウス２００を構成する当該ハウジン部２０７は、その平面形状或いはその平面面積は、当該基底部２０５の平面形状或いはその平面面積と近似する様に構成される事が望ましく、当該ハウジング部２０７の平面形状或いはその平面面積は、当該基底部２０５のそれらよりも若干大きめに構成される事が望ましい。
【００４８】
更に、本発明に於いて、当該基礎層部２０１に設けられる当該凹陥部２０３と当該蓄熱コンクリート基板部１トの間の配設される当該断熱部材２０４は、その材料は特に限定されるものではないが、所望の断熱特性を有するものであれば、何れの材料で構成されたものでも使用可能であり、例えば、発泡材や公知の断熱フィルム材等が使用されるものである。
又、本発明に於ける当該ハウジング部２０７を構成する材料は、主として当該基底部２０５に於ける少なくとも当該産業用蓄熱コンクリート基盤層部材１００の上側表面上の空間層部２０６を密閉状態に閉鎖すると共に、当該ハウジング部２０７内部で育成される各種の動植物の生育を助長する為に、太陽光を透過させる機能を有する材料から構成されるものである事が好ましい。
【００４９】
当該ハウジング部２０７を構成する材料としては、例えば、ガラス材料を主として製造された板状体部材や、プラスチック材料で構成された板状体部材等が使用可能であり、更には、当該ガラス材料やプラスチック材料で構成された板状体部材の表面の少なくとも一部に、太陽光を透過させる機能を有し、且つ強度が大きい材料から成るフィルム材料を張り合わせた構成のものを使用する事が可能である。
そして、当該ハウジング部２０７は、上記した建築材料を、適宜の金属製或いは合成樹脂製のフレーム枠体（図示せず）等を介して、適宜の高さを有する側壁部２１４と屋根部２１３を、周知の技術を使用して、組立構成し、当該産業用蓄熱コンクリート基盤層部材１００の上側表面上に形成されている空間層部２０６を密閉された空間状態に構成するものである。
係る構成を採用する事によって、本発明に係る当該農産物・家畜類育成ハウス２００の内部空間領域は、外気の環境温湿度に影響されない状態に形成され、基本的には、当該農産物・家畜類育成ハウス２００は、当該基底部２０５に配置されている当該蓄熱コンクリート基板部１により、主として温度制御が有効に実施される事になる。
【００５０】
本発明に於ける当該ハウジング部２０７に於いては、電気エネルギーにより発熱された熱が、当該蓄熱コンクリート基板部１を構成するコンクリート材内部に蓄積され、当該コンクリート材内に蓄積された熱は、常時、外部に放熱され、近傍空間領域の雰囲気温度を向上させると同時に、通電操作を終了した後でも、長時間に亘って、当該コンクリート材から、当該蓄積された熱が外部に放熱されるので、消費電力量を大幅に低減させる事が可能となる。
係る効果は、特に、寒冷地域に於ける、当該農産物・家畜類育成ハウス２００に於いて、夜間に電気量が安くなる深夜電力を利用して、夜間に当該蓄熱コンクリート基板部１内に通電しながら当該ハウジング部２０７内部の雰囲気温度を所定の温度に維持調整しながら、当該コンクリート材１内部に十分な熱エネルギーを蓄熱しておき、深夜電力料金が使用できない昼間には、出来るだけ当該蓄熱コンクリート基板部１は通電処理を行わず、当該コンクリート材からの放熱操作によってのみ当該ハウジング部２０７内部の雰囲気温度を調整する事が可能となるのである。
【００５１】
係る方法を採用する事により、特に寒冷地における冬季の間では、従来灯油や石油による暖房費が極めて高額となり、生産コストが大幅に高騰すると言う問題が存在したのに対し、本発明を採用することにより、当該ハウジング部２０７内部の温度調整に要する電力費は、大幅に低減できると共に、本発明に係る当該ハウジング部２０７のシステム構成も極めて簡易で故障も無く、操作も容易であることから、施工費用や維持管理費用を含めたランニングコストが大幅に低減できるという効果が有するものである。
【００５２】
本発明に於ける当該農産物・家畜類育成ハウス２００で育成される農産物としては、例えば、水耕栽培を含む、各種の栽培方式に基づく野菜、穀物、果物、樹木、花類等が含まれているものであり、一方、当該農産物・家畜類育成ハウス２００を、家畜類育成ハウスとして使用する場合では、当該家畜類は、例えば、牛、馬、豚、羊、山羊、兎等の動物、鶏、鴨等の家禽類、観賞魚を含む各種魚類及び貝類等が含まれるものである。
勿論、本発明に係る当該農産物・家畜類育成ハウス２００は、通常の気候を有する地域、例えば温暖地域や山岳地域でも使用出来る事は言うまでもないが、特に、寒冷地で使用される場合には、上記した通り、その経済的効果が絶大である事は特筆すべき事である。
【００５３】
本発明に於いては、当該基底部２０５に於ける当該産業用蓄熱保温性コンクリート基盤層部材１の上側表面５上に、前記した通り、当該防水性を有するコンクリート層８０を設ける事も望ましい具体例であり、更には、当該基底部２０５に於ける当該産業用蓄熱保温性コンクリート基盤層部材１の上側表面５上或いは当該防水性を有するコンクリート層８０の上面５’に、所定の厚みを持った土砂層が設けられている事も好ましい具体例である。
即ち、本発明に係る当該農産物・家畜類育成ハウス２００に於いて、例えば、水耕栽培を行う場合に於いては、当該水耕栽培に使用される適宜のフレーム枠部や支柱部を当該産業用蓄熱保温性コンクリート基盤層部材１の上側表面５上、若しくは当該防水性を有するコンクリート層８０の上側表面５’に直接配置設置する事が可能であるが、一方、野菜、穀物、果物、樹木、花類等の農産物を育成する場合或いは牛、馬、豚、羊、山羊、兎等の動物等の家畜類を育成する場合には、その目的に応じて、所望の厚みを有する土層、砂層、或いは砂利層等を配備する事が必要である。
【００５４】
一方、本発明に係る当該農産物・家畜類育成ハウス２００に於いては、当該ハウジング部２０７内に於ける農作業或いは畜産作業で使用された水類を有効活用する為に、それらを回収する為のシステムが設けられている事が望ましい。
例えば、図１に示されている通り、当該産業用蓄熱保温性コンクリート基盤層部材１の上側表面５上及び/又は当該防水性を有するコンクリート層８０の上側表面５’上に、適宜の深さと適宜の断面形状を有する排水溝部９１が複数本、適宜の排水マス部９２を介して相互に接続される様に配置形成されており、且つ当該排水溝部９１の最終端部は、当該受水槽部８３に係合せしめられる様に構成されている事も望ましい具体例である。
【００５５】
更に、本発明に係る当該農産物・家畜類育成ハウス２００に於いては、当該ハウジング部２０７の周囲に蓄積される雨水や雪解け水或いは当該ハウジング部２０７の屋根部から滴下した雨水や雪解け水は、図１０に示す様に、当該ハウジング部２０７の外縁周辺に配置された集水溝部２２０で集め、適宜の升部９２を介して当該蓄熱コンクリート基板部１内に形成された当該溝部９１に流通させ、最終的には、適宜のフィルター手段９０を介して当該受水槽部８３内に集められるように構成されている事も望ましい具体例である。
【００５６】
本発明に係る当該農産物・家畜類育成ハウス２００の他の具体例としては、上記した当該受水槽部８３に貯留されている適宜の温度に加熱されている温水を当該ハウジング部２０７内外の所望の調整・制御に有効に利用しようとするもものである。
即ち、その一例としては、当該農産物・家畜類育成ハウス２００の当該ハウジング部２０７に於ける屋根部材２１３の頂点部若しくはその近傍部に於ける少なくとも一部に、適宜の降雪センサー部３００が配置されており、当該降雪センサー部３００による、降雪状態を識別して発生される降雪検知情報に基づいて当該水循環手段２０８を構成する例えば適宜の循環ポンプが作動され、当該農産物・家畜類育成ハウス２００の当該ハウジング部２０７に於ける屋根部材２１３の適宜の部位に配備されている放水手段部３０１から当該温水を当該の屋根部材２１３の外部表面上に散布する様に構成されているものである。
【００５７】
本具体例に於いて、当該農産物・家畜類育成ハウス２００の当該ハウジング部２０７に於ける屋根部材２１３の外表面に散布された当該水は、当該ハウジング部２０７に於ける下端部周縁部に形成された適宜の溝部２２０からなる集水ビット機構を介して、且つ適宜のフィルター手段９０を介して、当該受水槽部８３内に還流せしめられるように構成されている事が望ましい具体例である。
一方、本発明に於ける上記具体例に於いては、当該受水槽部８３には、当該循環ポンプ手段８６を含む適宜の排水手段２０８及び適宜の給水手段８８に加えて、当該受水槽部８３内の貯水８４の水面位置レベルを一定となる様に制御する水レベルセンサー手段８７が設けられている事も望ましい具体例である。
係る水レベルセンサー手段８７が検出する当該水８４の水面の位置情報に基づいて、当該適宜の給水手段８８或いは集水システム８９から得られる適宜の水量を適宜のポンプ手段を含む水供給制御手段３３０を駆動させて不足する水の量を補充供給する様に構成されている事が望ましい。
【００５８】
同様に、前記した通り、本発明に係る当該第２の態様に於いても、当該産業用蓄熱保温性コンクリート基盤層部材１００に設けられている当該中空管部２の一方の閉鎖端部とは異なる他方の開放端部２３の近傍には、当該中空管部２内に貯留せしめられている当該熱伝導性の高い油性成分材料３０が示す、当該開放端部２３近傍の油面位置レベルを一定となる様に制御する油材レベルセンサー手段３１が設けられている事も好ましい具体例である。
【００５９】
更に、本発明に於ける当該第２の態様に於いては、当該農産物・家畜類育成ハウス２００に於ける当該ハウジング部２０７には、その屋根部材２１３及び／又は側壁部２１４の一部には、適宜の個数の窓部３４２、３４３が設けられており、且つ当該各窓部３４２、３４３は、それぞれの窓部を開閉自在に駆動出来る開閉駆動手段３４４、３４５を含んでおり、一方、当該ハウジング部２０７内には適宜な部位に、適宜個数の温度センサー３４０及び/又は湿度センサー３４１が配備されており、当該温度センサー３４０及び/又は湿度センサー３４１から得られる当該ハウジング部２０７内の温度情報及び/又は湿度情報に基づいて、当該ハウジング部２０７に設けられている当該各窓部３４２、３４３に設けられている当該窓開閉駆動手段３４４、３４５を駆動せしめ、当該各窓部の開放状態を微細に調整出来る様に構成されている事も望ましい具体例である。
【００６０】
更に、本発明に於ける当該具体例に於いては、当該農産物・家畜類育成ハウス２００の当該ハウジング部２０７内に、適宜の部位に適宜個数のミスト発生手段（水噴霧装置）３４６が設けられており、当該ミスト発生手段（水噴霧装置）３４６は、適宜の通水管２１２を介して、当該受水槽部８３内に貯留されている温水８４を当該排水手段（排水パイプ）８５を介して係合せしめられている当該水循環手段８６と接合されており、当該ミスト発生手段３４６は、当該ハウジング部２０７内に設けられている、当該適宜の温度センサー３４０及び/又は湿度センサー３４１から得られる当該ハウジング部２０７内の温度情報及び/又は湿度情報に基づいて駆動せしめられ、当該温水８４を当該ハウジング部２０７内部に噴霧させる様に構成されている事が望ましい具体例の一つである。
【００６１】
一方、本具体例に於いては、当該農産物・家畜類育成ハウス２００にあっては、少なくとも温度センサー手段３４０、湿度センサー手段３４１、降雪センサー手段３００、時間センサー手段つまりタイマー手段７５等から出力される所定の制御信号群の少なくとも何れか一つの制御信号に応答して、当該長尺状発熱体部逐次駆動制御手段７４を含む電力供給手段７、当該水循環手段２０８、当該窓部材駆動手段３４４、３４５、当該ミスト発生手段３４６、放水手段部２１１の少なくとも一部の手段を駆動制御する為の駆動演算制御手段３５０が設けられている事が望ましい具体例の一つである。
尚、本具体例に於いては、当該駆動演算制御手段３５０には、当該長尺状発熱体部逐次駆動制御手段７４を含む電力供給手段７、当該水循環手段２０８、当該窓部材駆動手段３４４、３４５、当該ミスト発生手段３４６、放水手段部２１１の少なくとも一部の手段を駆動制御する為の予め設計されている所望の制御プログラムを内蔵している記憶手段７６が設けられている事が望ましい具体例である。
【００６２】
一方、本発明に於ける当該第２の態様に於ける具体例にあっては、当該ハウジング部２０７に於ける作業員の出入口３６０は、少なくとも二重の扉構造を有する事が望ましい具体例である。
又、本発明に於いては、上記した通り、当該農産物・家畜類育成ハウス２００に於ける当該ハウジング部２０７の側壁面部２１４及び/又は屋根部２１３の少なくとも一部に、所望の動力手段３４４．３４５を介して、当該ハウジング部２０７の内部空間と当該ハウジング部２０７の外部空間とを連通させる為の所望の開放空間を創出出来る窓部材３４２．３４３が設けられている事も望ましい具体例である。
【００６３】
以下に、本発明に係る当該農産物・家畜類育成ハウス２００を使用する事によって得られる作用効果を説明する。
先ず、本発明に係る当該農産物・家畜類育成ハウス２００は、その内部空間が外気に対して密閉状態に維持されているので当該農産物・家畜類育成ハウス２００の内部空間の温度及び／又は湿度は、外気の環境条件に影響されることなく任意の設定温度に維持する事が可能であり、同時に、当該農産物・家畜類育成ハウス２００内で育成される動物や植物に適した環境の温度・湿度条件に容易に設定しそれを維持する事が可能であるばかりか、特に特定の植物の育成に必要な、長期間に亘る温度或いは湿度の変化の状態を着実に実現して維持する事が可能であるので、所謂植物工場としての活用も可能である。
【００６４】
一方、本発明係る当該農産物・家畜類育成ハウス２００を寒冷地、豪雪地帯で使用する場合には、上記のメリットの他、割安の深夜電力を利用することによって、当該ハウス２００内の温度を制御するに要するエネルギーの消費代が、従来の方式に比べて大幅に低減され、生産コストが軽減されると同時に施工コストも安価であり、また補修管理等に関するランニングコストも大幅に低減できるので、生産性の向上と品質の向上、並びに営業利益の改善等の効果が大きい。
又、本発明に係る当該農産物・家畜類育成ハウス２００に於いては、当該ハウジング部２０７は外気から完全密閉の状態が維持されるので、外部から害虫や汚染物が内部に入り込む余地はなく、従って、例えば鳥インフルエンザの様な、鳥類による菌類の伝搬の危険もないと言う効果もある。
【００６５】
更に、本発明に係る当該農産物・家畜類育成ハウス２００に於いては、電気料金の安い夜間電力を使用することにより、当該ハウス２００を設置した場所に於いては、夜間中に積雪があると、当該深夜電力を利用して温めた温水を当該ハウス２００の屋根部表面２１３に放水させることによって、融雪処理をする事が出来るので、ランニングコストの安い融雪処理が可能となる。
然も、本発明に於いては、当該産業用蓄熱保温性コンクリート基盤層部材１００を使用しているので、保熱効果が高く、従って深夜電力を利用して発熱処理してきた当該ンクリート基盤層部材１００は、当該深夜電力料金が設定されている時間を経過しても、電力の追加供給なしで、暫くの時間の間、所定の温度条件を維持する事が可能であるので、昼間時での電力の使用量を削減する事も可能であるので、より経済的なシステムが提供される。
【００６６】
更には、本発明に係る当該産業用蓄熱保温性コンクリート基盤層部材１００の上記した多くの特徴を利用して、例えば、積雪が少なくて、冬場、畑が凍結してしまう地域の休田地帯で、温室と併用し、深夜電力を利用して畑の下に当該産業用蓄熱保温性コンクリート基盤層部材１００をロックベットとして配設し、当該本発明に係る産業用蓄熱保温性コンクリート基盤層部材１００を使用してこれを暖め、昼間は、ロックベットの余熱で温室内の温度を保ち、無農薬の野菜の作付が可能になる設備を構築する事も可能であり、更には、本発明に係る当該ブロック１００を鶏舎、豚舎の暖房にも利用できる。
【００６７】
その他、本発明に係る当該ブロック１００で使用される当該線状或いは帯状の長尺状発熱体３は、テフロン（登録商標）加工されているので、防水性が高く、構造はシンプルなので、ほとんど故障しない為、当該発熱体そのもののランニングコストは安く、耐久性もあるので、商業施設への需要も期待できる。
以下に、本発明に係る当該農産物・家畜類育成ハウス２００に於ける、電気料金に関するランニングコストを、特定の具体例に付いて、実験したけ結果を詳細に説明する。
即ち、図９及び図１１に示す様に、本発明に係る当該蓄熱コンクリート基板部１を使用した当該産業用蓄熱コンクリート基盤層部材１００を、適宜の基礎層部２０１の表面部２０２に設けられた、所定の深さＨ１を有し、且つ所定の平面面積Ｓ１を以て構成された平面形状部を有する凹陥部２０３内に適宜の断熱材を介して嵌入させて形成された基底部２０５と、当該基底部２０５の上部空間領域を適宜の遮蔽材で囲繞被覆して形成されている当該ハウジング部２０７トから構成されている農産物・家畜類育成ハウス２００に於いて、当該産業用蓄熱コンクリート基盤層部材１００を、その厚みが３ｍと設定すると共に、横方向の長さを４０ｍ、縦方向の長さを２０ｍとしてそれぞれ形成された矩形状の平面形状で、８００ｍ２（２４１．４坪）の平面面積を持つ平面状立体形状に構成すると同時に、当該長尺状発熱体部３の長さを３８ｍに設定し、それを１０本用意し、図1乃至図２に説明されている通り、相互に平行に、且つそれぞれを、当該産業用蓄熱コンクリート基盤層部材１００の長手方向に沿って平行に且つ同一平面を形成する様に、配置せしめられている当該中空管部２で、その内部に油材成分が充填されている１０本の各当該中空管部２内に手動にて挿入、それぞれの当該長尺状発熱体部３の当該中空管部２の開放端部２３より突出している当該長尺状発熱体部３のリード線端部５１、５２を当該電力供給手段７と接続して構成されたものである。
【００６８】
上記した具体例に於いて、１日１２時間、深夜電力のみを利用して、蓄熱放熱駆動させた場合の、電力消費量を計算すると以下の様になる。
即ち、本発明に係る当該具体例での電力消費量は、２３０Ｗ×１０本＝２３００Ｗ、つまり、２．３ＫＷである。
従って、当該具体例に於ける１日の使用電力は、１日１２時間として、２．３ＫＷ×１２時間＝２７．６ＫＷとなるから、一か月当たりの電力消費量は、２７．６ＫＷ×３０日＝８２８ＫＷとなる。
そこで、深夜電量料金を１８円／ＫＷとすると、本具体例に於ける、１か月間の予想電気代は、８２８ＫＷ×１８円／ＫＷ＝１４，９０４円となる。
従って、これを日単で考えると、１日の予想電気代は、４９６．８円となる。
【００６９】
更に、本発明に於ける当該農産物・家畜類育成ハウス２００に有っては、上記した通り、その内部空間が外気に対して密閉状態に維持されているので、当該農産物・家畜類育成ハウス２００の内部空間の温度及び／又は湿度は、外気の環境条件に影響されることなく任意の設定温度に維持する事が可能であり、同時に、当該農産物・家畜類育成ハウス２００内で育成される動物や植物に適した環境の温度・湿度条件に容易に設定し、それを維持する事が可能であるばかりか、特に特定の植物の育成に必要な、長期間に亘る温度或いは湿度の変化の状態をその育成状態に合わせて、正確に且つ着実に然も容易且つ経済的に実現して維持する事が可能であるので、所定の動植物の正常な育成はもとより、早期育成や早期栽培も自在に実施可能である事から、所謂植物工場としての活用も可能である。
【００７０】
一方、本発明係る当該農産物・家畜類育成ハウス２００を寒冷地、豪雪地帯で使用する場合には、割安の深夜電力を利用することによって、当該ハウス２００内の温度を制御するに要するエネルギーの消費代が、従来の方式に比べて大幅に低減され、生産コストが軽減されると同時に施工コストも安価であり、また補修管理等に関するランニングコストも大幅に低減できるので、生産性の向上と品質の向上、並びに営業利益の改善等の効果が大きい。
更には、石油或いは灯油を使用する事が無いので、環境に優しい農産物・家畜類育成ハウス２００であることも明白である。
その結果、本発明に係る当該農産物・家畜類育成ハウス２００に於いては、火災の危険性が殆どなく、安全なシステムとして長期間使用する事が可能となり、この面からもランニングコストの低減化が実現出来る事になる。
【００７１】
更に、上記した通り、当該長尺状発熱体部３はその特性値の低下が比較的短期間で見られる事が多く、その為、当該長尺状発熱体部３の特性値を常時検出して、監視する事が望ましいが、万一、当該長尺状発熱体部３の一部が、不良状態を呈した場合、従来では、当該産業用蓄熱保温性コンクリート基盤層部材１００その物をそっくり新品と交換する他なかったので、補修作業や補修費が膨大となり、ランニングコストの高騰に&#32363;がっていたのに対し、本発明に於いては、当該特性値に不良状態を示した当該長尺状発熱体部３のみを、当該産業用蓄熱保温性コンクリート基盤層部材１００の配置状態を変えることなくそのままの状態にしたままで、作業員による手作業のみで、簡単に且つ短時間で新品の当該長尺状発熱体部３と交換する事が出来るので、当該補修のためのコストは格段に安価に抑える事が可能となる。
係る利点は、本発明の当該農産物・家畜類育成ハウス２００は、略永久的に実作業に活用出来る事を示しているのであり、初期の投資を除けば、比較的安価なランニングコストで生産活動を継続する事が可能となる。
【００７２】
又、本発明に係る当該農産物・家畜類育成ハウス２００に於いては、当該ハウジング部２０７の内部空間領域は、外気から完全密閉の状態に維持されるので、外部から害虫や有害動物更には、各種の汚染物が内部に入り込む余地はなく、従って、例えば鳥インフルエンザの様な、鳥類による菌類の伝搬の危険もないと言う効果もある。
【００７３】
更に、本発明に係る当該農産物・家畜類育成ハウス２００に於いては、電気料金の安い夜間電力を使用することにより、当該ハウス２００を設置した場所に於いては、夜間中に積雪があると、当該深夜電力を利用して温めた温水を当該ハウス２００の屋根部表面２１３に放水させることによって、融雪処理をする事が出来るので、除雪に係る経費を含めた維持管理に要するランニングコストの安い融雪処理が可能となる。
然も、本発明に於いては、当該産業用蓄熱保温性コンクリート基盤層部材１００を使用しているので、保熱効果が高く、従って深夜電力を利用して蓄熱処理してきた当該コンクリート基盤層部材１００は、当該深夜電力料金が設定されている時間を経過して、電気を使用しなくなっても、電力の追加供給なしで、当分の時間の間（例えば午後２時くらいまでの間）、所定の温度条件を維持する事が可能であるので、昼間時での電力の使用量を削減する事も可能であるので、より経済的なシステムが提供される。
【００７４】
更には、本発明に係る当該産業用蓄熱保温性コンクリート基盤層部材１００の上記した多くの特徴を利用して、例えば、積雪が少なくて、冬場、畑が凍結してしまう地域の休田地帯で、温室と併用し、深夜電力を利用して畑の下に当該産業用蓄熱保温性コンクリート基盤層部材１００をロックベットとして配設し、当該本発明に係る産業用蓄熱保温性コンクリート基盤層部材１００を使用してこれを暖め、昼間は、ロックベットの余熱で温室内の温度を保ち、無農薬の野菜の作付が可能になる設備を構築する事も可能であり、更には、本発明に係る当該ブロック１００を鶏舎、豚舎の暖房にも利用できる。
【００７５】
一方、本発明に係る当該農産物・家畜類育成ハウス２００に於ける更に顕著な技術的特徴としては、本発明に係る当該農産物・家畜類育成ハウス２００内の内部雰囲気温度の調整は、当該産業用蓄熱保温性コンクリート基盤層部材１００のみによる制御で実施されるものであり、当該産業用蓄熱保温性コンクリート基盤層部材１００の放熱形態は、従来の加熱方式と異なり、輻射熱を利用した加熱方式であることから、当該ハウジング部２０７内部の空気温度の調整は、対流による拡散により実行されるものであるから当該ハウジング部２０７内部の空気温度は、どの場所でもソフトに均一化され、更には、当該ハウジング部２０７内に存在する各種の動植物もそれぞれ輻射熱によってのみ加熱されるものであるから、当該になり、各種の動植物から水分が脱水したり、当該ハウジング部２０７内に存在する空気中から水分が脱水したりすることが無いので、当該動植物の育成に対して、従来では得られなかった、育成効果が達成されると共に、湿度管理は容易且つ簡素化され、当該ハウジング部２０７内部の室温及び／又は湿気管理操作が効率化されると言う効果がある。
【００７６】
一方、本発明に係る当該農産物・家畜類育成ハウス２００に於いては、当該ハウジング部２０７内部の室温及び／又は湿気の調整制御、前記したとおり、各種のセンサーを配置しておき、通電させる当該長尺状発熱体部３の本数、通電時間、当該開閉可能な窓部の開閉角度やその量や開閉時間、ミストの噴射回数や噴射時間等を適宜調整することにより、容易且つ迅速、然も正確に、調整・制御が可能となる。
又、本発明に於いては、育成すべき特定の動植物に対する時間軸に応じた温度、湿度、日照時間、肥料或いは飼料の成分構成や付与すべき量等の情報を予めプログラム化して適宜の記憶手段等に格納しておき、それらの中から、適宜最適のプログラムを選択して自動化処理を行う事も出来ると言う効果がある。
【符号の説明】
【００７７】
１…蓄熱コンクリート基盤部
２…中空管部
３…長尺状発熱体部
４…端縁部
５…産業用蓄熱保温性コンクリート基盤層部材の表面
６…側壁面部
７…電力供給手段、電源手段
８…鉄筋
９…補強層部
１０…横鉄筋部
１１…縦鉄筋部
１２…垂直鉄筋部
１３…係合手段、金属製線条体
２１…主体部
２２…中空管部の一方の端部、閉鎖状端部
２３…中空管部の他方の端部、開放状態
２４…湾曲部
２４’ …屈曲部
３０…油性成分材料
３１…油材表面レベル検知手段
３２…油材タンク
３３…油材供給手段
３４…油材排出手段
４０…凹陥部
５１，５２…一対の電極
５３…発熱層
７１…直流電源部
７２…正電極線部と
７３…負電極線部
７４…制御回路部
７５…タイマー手段
７６…記憶手段
７７…スイッチング部
７８…コネクター部
８０…防水性を有するコンクリート層
８１…土、砂利等の土層
８３…受水槽部
８４…水道水を含む適宜の水等の液体
８５…排水管、排水手段（排水パイプ）
８６…排水手段、水循環手段
８７…水レベル検知手段
８８…給水手段、水道栓
８９…集水システム、集水手段
９０…フィルター手段
９１…排水溝部
９２…排水マス部
１００…産業用蓄熱保温性コンクリート基盤層部材
２００…農産物・家畜類育成ハウス
２０１…基礎層部
２０２…表面部
２０３…凹陥部
２０４…断熱部材
２０５…基底部
２０６…上側表面上の空間層部
２０７…ハウジング部
２０８…水循環手段
２０９…給水手段（水道手段を含む）
２１０…ハウジング部の外面頂点部近傍
２１１…放水手段部
２１２…通水管
２１３…屋根部
２１４…側壁部
２２０…集水溝部
３００……降雪センサー部
３３０…水供給制御手段
３４０…温度センサー
３４１…湿度センサー
３４２、３４３…窓部
３４４、３４５…開閉駆動手段
３４６…ミスト発生手段（水噴霧装置）
３５０…駆動演算制御手段
３５１…記憶手段
３５２…タイマー手段
３６０…出入口
【図１】
2019035256.tif 000003
【図２】
2019035256.tif 000004
【図３】
2019035256.tif 000005
【図４】
2019035256.tif 000006
【図５】
2019035256.tif 000007
【図６】
2019035256.tif 000008
【図７】
2019035256.tif 000009
【図８】
2019035256.tif 000010
【図９】
2019035256.tif 000011
【図１０】
2019035256.tif 000012
【図１１】
2019035256.tif 000013